(57)【特許請求の範囲】
【請求項１】
セルラ無線電話ネットワークの計画における使用のために拘束条件マトリクスを作成する方法であって、サーバセルまたは妨害セルの役割を果たす、対応する複数の無線セル（１〜４）を管理するために設けられた、複数の無線基地局（１１〜１４）に、サービスゾーンにおいて決定された送信位置と送信出力を割り当る、所定の搬送周波数の値（ｆｉ、ｆｊ）の決定された数を使用することができ、
サーバセルの各メッシュ（Ｐ）の位置によって、計算システムが、サーバセルの所定の周波数のいずれか１つ（ｆｉ）で、サービスゾーンのこのメッシュ内で受信されたフィールドの値Ｃを表す予測を作成する段階と、
これらのメッシュの各々において、計算システムが、計算システムによってサーバと推測されるセルに対して、システムが妨害セルとみなす他のセルの各々によって引き起こされた干渉フィールドの値Ｉを計算する段階と、
これらのメッシュの各々において、計算システムが、「サーバ」セルについて比Ｃ／Ｉの値を計算し、Ｉは、サービスゾーンの他の妨害セルの各々によって引き起こされた干渉フィールドを表し、メッシュ内で受信されたその干渉フィールドＩの値は、計算システムによって最初に記憶された、設定値「ＣＨＡＭＰ＿ＭＩＮＩ＿ＢＲＯＵＩＬＬＥＵＲ」より大きくなる段階と、
サービスゾーン全体についての積分演算によって、計算システムが、妨害セルによるサーバセルの総妨害率ｔｂｉｊを決定し、これらの値が、サーバセルの指定行と、妨害セルの指定列との交差部分のレベル（Ｋｉ、Ｌｉ、Ｍｉ）を表すまたは記憶することによって、拘束条件の初期マトリクス内に、表示または記憶されることができる段階と、
与えられたセルが、移動端末に最も高いフィールドを提供するサーバセルとなるための確率を表す初期におけるサービスの確率を、システムがこの「初期」と呼ばれる拘束条件マトリクスから決定し、サービスの確率は、予想されたフィールドの値と「Ｆｒｅｑｕｅｎｃｅｓ．ｔｘｔ」ファイル内に記憶された「ＣＨＡＭＰ＿ＭＩＮＩ」フィールドの変更可能な値との偏差から推定される段階と
を有する方法。
【請求項２】
共同チャネルにおける各サーバセルと各妨害セルを推測することで、第１のマトリクスまたは表が決定される請求項１に記載の方法。
【請求項３】
フィールドＣＨＡＭＰ＿ＭＩＮＩの変更可能な前記の値が、５０％のサービス確率に対応し、
計算システムがマトリクスの値の比較によって最良のサーバを構成する３つのセルを選別し、
さらに、計算によって指定確率を決定し、指定拘束条件マトリクス内にそれらの確率を保存する請求項１または２に記載の方法。
【請求項４】
各メッシュにおいて、計算システムは、可能性のあるこれらのサーバセルの各々に、
指定確率
サービス確率
地上加重
の３つの成分を有する加重係数を適用し、これら３つの係数は、３つの最良のサーバセルの各々に重みを割り当て、それらセルの各々が、サーバセルになる確率を知るために、各メッシュのレベルで組み合わされる請求項１から３のいずれか一項に記載の方法。
【請求項５】
システムが、３つの最良のサーバの３つの確率と、「ハンドオーバー」ＨＯｍのヒステリシスのマージンを考慮に入れながら、１つのセルｃｅｌｌ＿ｉの他のセルｃｅｌｌ＿ｊへの転移確率ｐｉｊにサーバを結びつける関係式とを用いて、初期確率マトリクスを次第に構成し、決定することができる唯１つの値Ｐｒｏｂａ＿ｉｎｉｔを計算する請求項１から４のいずれか一項に記載の方法。
【請求項６】
指定確率は、通信時間にわたって、３つの可能性のあるサーバセルの各々に、割り当てられた時間の可能性の高い配分を通知し、この確率は、可能性のあるサーバセル間の予想されたフィールドの差に基づいて計算され、実際には５ｄＢであるフリップフロップのマージン「ＨＯ＿ＭＡＲＧＩＮ」の平均的な値を考慮する請求項１から５のいずれか一項に記載の方法。
【請求項７】
確率の値が、「Ｐｒｏｂａ＿ａｓｓｉｇ．ｔｘｔ」ファイル内に記憶される請求項１から６のいずれか一項に記載の方法。
【請求項８】
地上係数（または形態係数）によって、土地の形状に沿った「ハンドオーバー」の自然の流れを知らせることができ、現行のサーバセルと同じ地上を有するセルは優遇され、この係数は、メッシュが属する地上のクラスや伝搬幹線のタイプが介在するマトリクスの形状として表されるファイル「Ｐｏｉｄｓ．ｔｘｔ」によって提供される請求項１から７のいずれか一項に記載の方法。
【請求項９】
計算システムが、サーバセルの周波数チャネルに隣接するチャネルの周波数を使用するセルのために請求項１、３、４のいずれか一項におけるのと同じ計算を行う方法。
【請求項１０】
計算システムはさらに、妨害の状況と、対象区域から得られた結果にそれらの影響（共同チャネルおよび隣接チャネルの妨害による）を付け加えることによって隣接区域も計算に入れ、この影響は、メモリに記録された「Ｆｒｅｑｕｅｎｃｅｓ．ｔｘｔ」ファイルによって与えられる率の形で与えられる請求項１から９のいずれか一項に記載の方法。
【請求項１１】
計算システムは、基地局（１２〜１４）送信の受信レベルに影響を与える無線伝播条件の変動の統計表を使用でき、このシステムが、一定の時間にわたって全ての中で最も高いレベルを示す受信された信号に対応する確率を決定する請求項１から１０のいずれか一項に記載の方法。
【請求項１２】
セルラ無線電話ネットワークの計画を可能にするシステム内で使用するための拘束条件マトリクスの作成装置であって、情報処理システムが、サーバセルまたは妨害セルの役割を果たす、対応する複数の無線セル（１〜４）を管理するために設けられた、サービスゾーン内で決定され、データベース内に記憶された送信位置および出力を、複数の基地局（１１〜１４）に対して割り当てられる、所定の搬送周波数（ｆｉ、ｆｊ）の値の決定された数を割り当てる手段を有し、サーバセルの各メッシュ（Ｐ）の位置に応じて、サーバセルの所定の周波数のいずれか１つ（ｆｉ）においてサービスゾーンのこのメッシュ内で受信されたフィールドの値Ｃを表す予測を作成する手段と、
それらのメッシュの各々について、計算システムによってサーバと推測されるセルに対して、システムが、妨害セルとみなす他のセルの各々によって引き起こされた干渉フィールドの値Ｉを計算する手段とこれらの値Ｉの記憶手段と、
これらのメッシュの各々について、「サーバ」セルのために比Ｃ／Ｉの値を計算し、ここでＩは、サービスゾーンの他の妨害セルの各々によって引き起こされた干渉フィールドを表し、メッシュ内で受信されたその妨害フィールドＩの値は、計算システムによって最初に記憶された、所定の値「ＣＨＡＭＰ＿ＭＩＮＩ＿ＢＲＯＵＩＬＬＥＵＲ」より大きくなる手段と、
サービスゾーン全体についての積分演算を行い、計算システムが、妨害セルによってサーバセルの総妨害率ｔｂｉｊを決定し、これらの値は、サーバセルの指定行と、妨害セルの指定列との交差部分のレベル（Ｋｉ、Ｌｉ、Ｍｉ）を表すまたは記憶することによって拘束条件の初期マトリクスと呼ばれるマトリクス内に、前記手段によって、表示または記憶されることができる手段と、
与えられれたセルが、最も強いフィールドを移動端末に提供するサーバセルであるための確率を示す初期化におけるサービスの確率を「初期」と呼ばれる拘束条件マトリクスから決定し、サービスの確率は、予想されたフィールドの値と「Ｆｒｅｑｕｅｎｃｅｓ．ｔｘｔ」ファイル内に記憶されたフィールド「ＣＨＡＭＰ＿ＭＩＮＩ」の変更可能な値との偏差から推定される手段とを有する装置。
【請求項１３】
これらの手段は、共同チャネルにおける各サーバセルおよび各妨害セルを推測することによって決定された第１のマトリクスまたは表を計算し、次に、サーバセルの隣接チャネルにある各妨害セルを推測することによって第２のマトリクスを計算するために使用されることを特徴とする請求項１２に記載の装置。
【請求項１４】
フィールドＣＨＡＭＰ＿ＭＩＮＩの変更可能な前記の値が５０％のサービスの確率に対応し、
マトリクスの値の比較によって最良のサーバを構成する３つのセルを選択する計算システムの選別手段と、
指定拘束条件マトリクス内のこれらの確率の計算と保存による指定確率の決定手段と
を有する請求項１２または１３に記載の装置。
【請求項１５】
各メッシュにおいて、計算システムは、
指定確率
サービス確率
地上加重
の係数で構成される３つの係数の記憶手段と、
３つの最良のサーバセルの各々に重みを割り当て、それらのうちの各々がサーバセルとなる確率を考慮に入れるために、各メッシュのレベルでこれらの係数を組み合わせる手段とを有する請求項１２から１４のいずれか一項に記載の装置。
【請求項１６】
システムは、計算されたマトリクスから抽出された３つの最良のサーバの３つの確率と、「ハンドオーバー」ＨＯｍのヒステリシスのマージンを考慮に入れながら、１つのセルｃｅｌｌ＿ｉの他のセルｃｅｌｌ＿ｊへの転移確率ｐｉｊにそれら確率を結びつける関係式とを用いて、初期確率マトリクスを次第に構成し、決定することができる唯１つの値Ｐｒｏｂａ＿ｉｎｉｔを計算する請求項１２から１４のいずれか一項に記載の装置。
【請求項１７】
指定確率の値が、「Ｐｒｏｂａ＿ａｓｓｉｇ．ｔｘｔ」ファイル内に記憶される請求項１２から１６のいずれか一項に記載の装置。
【請求項１８】
地上係数が、メッシュが属する地上クラスと伝搬幹線のタイプとが介在するマトリクスの形で表される「Ｐｏｉｄｓ．ｔｘｔ」ファイルによって提供される請求項１２から１７のいずれか一項に記載の装置。
【請求項１９】
計算システムはさらに、妨害セルの状況と、先行する計算から得られた結果にそれらの影響（共同チャネルおよび隣接チャネルの妨害による）を付け加えることによって隣接区域も計算に入れ、この影響は、メモリに記録された「Ｆｒｅｑｕｅｎｃｅｓ．ｔｘｔ」ファイルによって与えられる率の形で記憶される請求項１２から１７のいずれか一項に記載の装置。
【発明の詳細な説明】
【０００１】
【発明が属する技術分野】
本発明は、規定中のセルラ無線電話ネットワークのセルを管理するために設けられた基地局に割り当てられる搬送周波数の計画において使用するための、拘束条件マトリクスの作成方法および作成装置に関するものである。
【０００２】
【従来の技術】
無線セルラネットワーク、たとえばＧＳＭネットワークは、有線電話ネットワークを通して相互接続される複数の地上無線基地局で構成され、移動端末が１つの基地局の無線セルの中に存在する場合には、それらの基地局にアクセスすることができる。アップリンク、すなわち端末からネットワークに向かうリンクは第１の周波数帯で行われ、ネットワークから端末に向かうダウンリンクは、第２の周波数帯で行われる。各周波数帯は、複数のチャネル、たとえば６２のチャネルに分配され、各々が一定の幅、たとえば２００ｋＨｚを有する。「全二重偏差」と呼ばれる一定のスペクトル間隔が、アップリンクの周波数帯とダウンリンクの周波数帯を隔てる。
【０００３】
各基地局は、移動端末がセルを変更した場合に、通信切断のあらゆるリスクを防ぐことができるように、当該のセルが隣接するセル上にオーバーラップするために十分なスパンを有していなければならない。このことから、必要最低限以上に基地局の送信出力を高めることが必要となる。
【０００４】
したがって、移動無線端末は、有効なレベルにおいては、２つのセルのリカバリゾーン内にある場合には２つの基地局の送信を受信する。実際には、無線端末はそれよりはるかに多くを受信し、電圧下にある場合には、無線の意味において最も近くの基地局に接続される。すなわち、その基地局には、最良の６つのレベルの中から最も高い無線レベルが提供される。リカバリゾーンにおいては、端末によって選別されていない基地局の送信は、接続されたセルの有効信号と同じ程度の大きさの干渉擾乱信号となる。さらに、２つの基地局の信号は、同じ構造を持つフレームで構成されるので、端末は、擾乱信号を減衰させるためにスペクトルの特定のフィルタリングを行うことができなくなるだろう。
【０００５】
無線ネットワークを確立するためには、オペレータは、自らに割り当てられ、貴重なリソースを構成する周波数レンジを使用することができる。このレンジにおいて、オペレータは、搬送周波数または伝送チャネルを定期的に分配し、２つの搬送波を隔てる周波数ピッチは、受信機の選別性を考慮に入れると、チャネル間の干渉が、一定の良好な運転のための閾値未満に留まるために十分なものとなる。
【０００６】
しかしながら、使用可能な搬送周波数の値の数は、ネットワーク全体において必要なチャネル数よりはるかに小さい。したがって、同じ値の周波数を何回か使用しなければならないが、設けられた各セルにおいては、隣接する他のセルの基地局から生じる、１つまたは複数の搬送波の周波数における擾乱レベルは、良好な運転のための閾値未満に留まる。言い換えれば、セルのどこにおいても、受信した有効信号のレベルと、当該の周波数における擾乱信号のレベルとの間で安全性のマージンが保証されなければならない。ネットワークが、互いに擾乱し合う多数の基地局を有することから、これらの擾乱の計算には、平均的な出力の従来の計算機では膨大な時間がかかってしまう。
【０００７】
さらに、すでに１つの基地局に接続された端末が、その基地局が受け取った信号と他の基地局が受け取った信号との相対的レベル間の逆転を許容し、レベルの偏差がヒステリシスの閾値の値を超える場合にだけ、この他の基地局に接続されるという点から、問題は一層複雑になる。その上、さまざまな基地局から生じた受信レベルは、無線伝送条件や移動端末の位置に応じて、時間とともに偶然に変化する恐れがある。
【０００８】
さらに、遠隔基地局のフレームの擾乱信号は、トラフィックとともに変化する平均的エネルギーを有し、その上、受けとられたそれら搬送波の位相は、互いにずれ、その結果、そのベクトル和である、受信した複合擾乱信号の瞬間的な振幅の偶然の変調を生じる恐れがある。
【０００９】
したがって、オペレータが、基地局の位置とそれらの無線特性を決定しながら、ネットワークを計画しようとする場合には、周波数の割当計画は、上述した偶発性を考慮し、有効な信号上にできるだけ安全性のマージンを保証しながらも、できるだけ多く、ネットワーク内に各搬送波の値を割り当てることを目的とする最適化計算の結果でなければならない。
【００１０】
安全性のマージンは、なかでもとりわけ、ネットワークの種々のセル間で遵守されるべき拘束条件を表す拘束条件マトリクスの使用によって規定される。
【００１１】
というのも、計画の計算のためには「ハード」と呼ばれる拘束条件マトリクスを使用する方法がすでに知られているが、それらマトリクスは、多くの場合、それらを使用し、さらに計画するために、プログラマによって定められた基準によって最初から決められている。
【００１２】
たとえば、プログラマは、２つのセルＣｉとＣｊの２つのチャネル間の偏差がゼロであった場合（すなわち２つのセルが同じ周波数である場合）には、拘束条件マトリクスの列Ｃｊと行Ｃｉの交差部分にゼロの値の係数を割り当て、それぞれの周波数間の偏差が、第１の一定の値をとる場合には「１」の値を割り当て、それぞれの周波数間の偏差が一定の第２の値をとる場合には、「２」の値を割り当てることによって、そのマトリクスを決定してきた。
【００１３】
このような規定は、すべて一度に、かつ主観的に決定されていた。
【００１４】
【発明が解決しようとする課題】
本発明は、拘束条件マトリクスを、セルラ無線電話ネットワークの計画のために使用することができるように、現実にできるだけ近い拘束条件マトリクスの作成によってこの最適化を可能にするためにツールを提供することを目的とする。
【００１５】
【課題を解決するための手段】
そのため、本発明は、セルラ無線電話ネットワークの計画のために使用することができるような、拘束条件マトリクスの作成方法に関するものであり、この方法においては、複数の無線基地局に、サーバセルまたは妨害セルの役割を果たす、対応する複数の無線セルを管理するために設けられた、サービスゾーン内において決定された送信位置と出力を割り当て、所定の搬送周波数の一定数の値を使用することができ、以下の段階を有する方法に関するものである。
【００１６】
−サーバセルの各メッシュの位置によって、計算システムが、サーバセルの所定の周波数のいずれか１つにおいて、サービスゾーンのこのメッシュ内で受信されたフィールドの値Ｃを表す予測を作成する段階。
【００１７】
−これらのメッシュの各々において、計算システムが、計算システムによってサーバと推測されるセルに対して、システムが妨害セルであるとみなす他のセルの各々によって引き起こされた干渉フィールドの値Ｉを計算する段階。
【００１８】
−これらのメッシュの各々において、計算システムが、「サーバ」セルについての比Ｃ／Ｉの値を計算し、Ｉは、サービスゾーンの他の妨害セルの各々によって引き起こされた干渉フィールドを表し、メッシュ内で受信されたその干渉フィールドＩの値は、計算システムによって最初に記憶された、所定の値「ＣＨＡＭＰ＿ＭＩＮＩ＿ＢＲＯＵＩＬＬＥＵＲ」より大きくなる段階。
【００１９】
−サービスゾーン全体についての積分演算によって、計算システムが、妨害セルにるサーバセルの総合妨害率ｔｂｉｊを決定し、これらの値が、サーバセルの指定行と、妨害セルの指定列との交差部分のレベル（Ｋｉ、Ｌｉ、Ｍｉ）を表すまたは記憶することによって、拘束条件の初期マトリクス内に、表示または記憶されることができる段階。
【００２０】
−与えられたセルが、移動端末に最も高いフィールドを提供するサーバセルとなるための確率を表す初期におけるサービスの確率を、システムがこの「初期」と呼ばれる拘束条件マトリクスから決定し、サービスの確率は、予想されたフィールドの値と「Ｆｒｅｑｕｅｎｃｅｓ．ｔｘｔ」ファイル内に記憶された「ＣＨＡＭＰ＿ＭＩＮＩ」フィールドの変更可能な値との偏差から推定される段階。
【００２１】
この方法の他の特徴によれば、第１のマトリクスまたは表は、共同チャネルにおける各サーバセルと各妨害セルとを推測することによって決定される。
【００２２】
この方法の他の特徴によれば、ＣＨＡＭＰ＿ＭＩＮＩフィールドの変更可能な前記の値は、５０％のサービスの確率に対応する。さらに、
−計算システムは、マトリクスの値の比較によって最良のサーバを構成する３つのセルを選別する。
【００２３】
−さらに、計算によって指定の確率を決定し、指定拘束条件マトリクス内にそれらの確率を保存する。
【００２４】
各メッシュにおけるこの方法の他の特徴によれば、計算システムは、可能性のあるこれらのサーバセルの各々に、以下の３つの成分を有する加重係数を当てる。
−指定確率
−サービス確率
−地上の加重
これら３つの係数は、３つの最良のサーバセルの各々に重みを割り当て、それらセルの各々がサーバセルになる確率を知らせるために、各メッシュのレベルで組み合わされる。
【００２５】
この方法の他の特徴によれば、システムは、３つの最良のサーバの３つの確率と、「ハンドオーバー」ＨＯｍのヒステリシスのマージンを考慮に入れながら、１つのセルｃｅｌｌ＿ｉを他のセルｃｅｌｌ＿ｊへの転移確率ｐｉｊにそれらサーバを結びつける関係式とを用いて、初期確率マトリクスを次第に構成し、決定することができる唯１つの値Ｐｒｏｂａ＿ｉｎｉｔを計算する。
【００２６】
この方法の他の特徴によれば、指定確率は、通信時間にわたって、３つの可能性のあるサーバセルの各々に、割り当てられる時間の可能性の高い配分を通知し、この確率は、可能性のあるサーバセル間の予想されたフィールドの差に基づいて計算され、実際には５ｄＢであるフリップフロップのマージン「ＨＯ＿ＭＡＲＧＩＮ」の平均的な値を考慮に入れる。
【００２７】
この方法による他の特徴によれば、確率の値は、「Ｐｒｏｂａ＿ａｓｓｉｇ．ｔｘｔ」ファイル内に記憶される。
【００２８】
この方法の他の特徴によれば、地上係数（または形態学係数）によって、土地の形状に沿った「ハンドオーバー」の自然の流れを知らせることができ、現行のサーバセルと同じ地上を有するセルは優遇され、この係数は、メッシュが属する地上のクラスや伝搬幹線のタイプが関与するマトリクスの形状となって表される「Ｐｏｉｄｓ．ｔｘｔ」ファイルによって与えられる。
【００２９】
この方法の他の特徴によれば、計算システムは、サーバセルの周波数チャネルに隣接するチャネル用の周波数を使用するセルのために請求項１、３、４のいずれか一項におけるのと同じ計算を行う。
【００３０】
この方法の他の特徴によれば、計算システムはさらに、妨害の状況と、対象区域から得られた結果にそれらの影響（共同チャネルおよび隣接チャネルの妨害による）を付け加えることによって隣接区域も計算に入れ、この影響は、メモリに記録された「Ｆｒｅｑｕｅｎｃｅｓ．ｔｘｔ」ファイルによって与えられる率の形で示される。
【００３１】
この方法の他の特徴によれば、計算システムは、基地局の送信の受信レベルに影響を与える無線伝播条件の変動の統計的表を使用でき、このシステムは、一定の時間にわたって全ての中で最も高いレベルを示す受信された信号に対応する確率を決定する。
【００３２】
本発明の他の目的は、現実をより考慮に入れることができる拘束条件マトリクスの作成装置を提案することにある。
【００３３】
この目的は、情報処理システムが、サーバセルまたは妨害セルの役割を果たす、対応する複数の無線セルを管理するために設けられた、複数の無線基地局に対してサービスゾーン内で決定され、データベース内に記憶された送信位置および出力を割り当てられる、所定の搬送周波数の値の一定数を割り当てる手段を有するシステムにおいて、セルラ無線電話ネットワークの計画を可能にするシステムにおいて使用するための、拘束条件マトリクスの作成装置が、サーバセルの各メッシュ（Ｐ）の位置に応じて、サーバセルの所の定周波数のいずれか１つにおいてサービスゾーンの各メッシュ内で受信されたフィールドの値Ｃを表す予測を作成する手段と、
−それらのメッシュの各々について、計算システムによってサーバと推測されるセルに対してシステムが妨害セルとみなす他のセルの各々によって引き起こされた干渉フィールドの値Ｉを計算する手段とこれらの値Ｉの記憶手段と、
−これらのメッシュの各々について、「サーバ」セルの比Ｃ／Ｉの値を計算し、ここでＩは、サービスゾーンの他の妨害セルの各々によって引き起こされた干渉フィールドＩを表し、メッシュ内で受信されたその妨害フィールドＩの値は、計算システムによって最初に記憶された、所定の値「ＣＨＡＭＰ＿ＭＩＮＩ＿ＢＲＯＵＩＬＬＥＵＲ」より大きくなる手段と、
−サービスゾーン全体についての積分演算を行い、計算システムが、妨害セルによってサーバセルの総妨害率ｔｂｉｊを決定し、これらの値は、サーバセルの指定行と、妨害セルの指定列との交差部分のレベル（Ｋｉ、Ｌｉ、Ｍｉ）を表すまたは記憶させることによって拘束条件の初期マトリクスと呼ばれるマトリクス内に、前記手段によって、表示または記憶されることができる手段
とを有することから達成される。
【００３４】
この装置の他の特徴によれば、これらの手段は、共同チャネルにおける各サーバセルおよび各妨害セルを推測することによって決定された第１のマトリクスまたは表を計算し、次に、サーバセルの隣接チャネルにある各妨害セルを推測することによって第２のマトリクスを計算するために使用される。
【００３５】
この装置の他の特徴によれば、ＣＨＡＭＰ＿ＭＩＮＩの変更可能な前記の値は５０％のサービスの確率に対応し、前記の装置は以下を有する：
マトリクスの値の比較によって最良のサーバを構成する３つのセルを選択する計算システムの選別手段と、
指定拘束条件マトリクス内のこれらの確率の計算と保存による指定確率の決定手段。
【００３６】
この装置の他の特徴によれば、各メッシュにおいて、計算システムは、
−指定確率
−サービス確率
−地上の加重
の係数で構成される３つの係数の記憶手段と、
３つの最良のサーバセルの各々に重量を割り当て、それらのうちの各々がサーバセルとなる確率を考慮に入れるために、各メッシュのレベルでこれらの係数を組み合わせる手段とを有する。
【００３７】
この装置の他の特徴によれば、システムは、計算されたマトリクスから抽出された３つの最良のサーバの３つの確率と、「ハンドオーバー」ＨＯｍのヒステリシスのマージンを考慮に入れながら、１つのセルｃｅｌｌ＿ｉの他のセルｃｅｌｌ＿ｊへの転移確率ｐｉｊにそれら確率を結びつける関係式とを用いて、このようにして初期確率マトリクスを次第に構成し、決定することができる唯１つの値Ｐｒｏｂａ＿ｉｎｉｔを計算する。
【００３８】
この装置の他の特徴によれば、指定確率の値は、「Ｐｒｏｂａ＿ａｓｓｉｇ．ｔｘｔ」ファイル内に記憶される。
【００３９】
この装置の他の特徴によれば、地上係数は、メッシュが属する地上クラスと伝搬幹線のタイプとが関与するマトリクスの形で表される「Ｐｏｉｄｓ．ｔｘｔ」ファイルによって与えられる。
【００４０】
この装置の他の特徴によれば、計算システムはさらに、妨害セルの状況と、先の計算から得られた結果にそれらの影響（共同チャネルおよび隣接チャネルの妨害による）を付け加えることによって隣接区域も計算に入れ、この影響は、メモリに記録された「Ｆｒｅｑｕｅｎｃｅｓ．ｔｘｔ」ファイルによって与えられる率の形で記憶される。
【００４１】
このようにして、セルの無線環境は、最良の精度で規定され、そのことは引き続き、限定された計算力のみを必要としながらも周波数をよりよく計画することができる。
【００４２】
このようにして、最も擾乱的な限定数の基地局を選別しやすくなり、したがって、拘束条件マトリクスは、擾乱の予測における地上の現実をより考慮することによって精度をよくしながらも、必要な計算力を制限することができる。
【００４３】
複合信号の値は、このようにして、セルのさまざまなポイントにおける無線条件の多様性をよく表す値を有し、したがって、比較のために信頼度の高いモデルを提供する。
【００４４】
このようにして、上述のモデル化はまた、移動受信機のために設けられた擾乱信号の拒否の品質を考慮に入れ、近似周波数における擾乱信号を計算に入れることによって改善される。
【００４５】
添付の図面を参照して、限定的でない望ましい本発明の実施形態を以下に説明することによって本発明がよりよく理解されるだろう。
【００４６】
【発明の実施の形態】
図１は、それぞれ基地局１１、１２、１３、１４を取り囲む、それぞれ１、２、３、４と参照番号を付された４つの無線セルの設定位置が記載された、規定中のセルラ無線電話ネットワークの地理的ゾーンのカード３１を示している。ここに示されているように、セル１から４は、互いに近くにあり、セル１の縁のゾーンは、他の３つのセル２から４のゾーンにリカバリされている状態である。
【００４７】
カード３１は、計算機３０のデータベース内に保存されたデジタルカード３２のデータを表している。デジタルカード３２は、自然および人工的起伏、さらに森林、ビルなどのそれらの種類を特定し、そのことから、デジタルカード３２によって規定された起伏に応じたリンクの無線減衰の評価を計算することができる。
【００４８】
設置されるネットワークのオペレータは、周波数レンジを使用することができ、ＧＳＭネットワークのチャネルのような、この例においてはデジタル伝送チャネルを構成する搬送周波数の複数の値、たとえば６２が規定されている。周波数の値はまた、基地局１１から１４の周波数における選別性と、セル１内に示されている、参照番号２１のような設けられた無線電話移動端末とに応じて決定された周波数ピッチに従って、当該のレンジ内に分配される。
【００４９】
矢印４１、４２、４３、４４が示しているように、端末２１は、４つの基地局またはセル１１から１４の送信を受け取ることができ、それぞれの受信は妨害セルと呼ばれる他のセルの１つによって印加された干渉擾乱信号またはサーバセルによって印加された有効信号を示している。ネットワークのある場所におけるサーバセルは、通信を保証するセルである。したがって、通信の確立時に監視状態に置かれる無線電話移動端末によって選別されたセル、または、「ハンドオーバー」と呼ばれるサーバセルの通信時にターゲットとして選択されたセルが対象となる。対応する無線リンクの収支は、移動端末２１の位置に対する基地局１１から１４の相対的位置によって評価することができる。すなわち伝送減衰計算によって評価される。こうした減衰は、とりわけ、当該の送信器と受信端末２１との間の距離に左右され、当該の周波数レンジについてはおよそ２０ｄＢ／ｋｍで、最初の５００メートルについては３０ｄＢ／ｋｍ以上であるような、単位長さ当たりの減衰値から、戸外の自由空間に伝播させるために容易に計算することができる。場合によっては、無線障害が存在した場合には、データベース３２によって提供された起伏についての情報が、決定された伝播経路上でリンク収支を評価することを可能にする。受信場所が、送信基地１２から１４からほぼ直接に選択される場合には、受信レベルを決定するための伝播減衰計算は、減衰が、自由空間における伝播減衰であり、キロメートル当たりのデシベルの設定値（２０または３０ｄＢ／ｋｍ）によって表されることを考慮しながら、非常に単純に行うことができる。さらに地上での測定によって受信レベルの値を手に入れることもできる。
【００５０】
直接的に、フレスネルの第１の楕円面は無線障害によってほぼ閉塞されないという事実が認められる。フレスネルの第１の楕円面は、それぞれの焦点までの距離が一定の送信機と受信機２１を有する楕円の縦軸の周りを回転させることによって生じる体積空間として規定され、偏心率は、楕円面の表面のあらゆる点から焦点までの２つの距離の和は、さらに、搬送波の波長の焦点間距離を超えないという点から規定される点を思い起こされたい。言い換えれば、焦点で受け取るエネルギーの大部分は、フレスネルの第１の楕円面の内側に伝達される。そのことから、この楕円面内に大きな障害が存在せず、それが追加減衰を持たない戸外への伝送に対応する。
【００５１】
したがって、このような情報を与えられたカード３１は、基地局１１から１４の送信レベルをあらかじめ定めている場合には、それら基地局の信号の受信の無線フィールドＣの予測レベルを、あらゆる場所で、計算機３０に計算させることができる。
【００５２】
基地局１１から１４の位置を先験的に選択するので、搬送周波数の同一の値について受け入れ可能な地理的拘束度を決定することが問題となる。実際に、上述したように、セル間の干渉が、一定の閾値を超えて無線サービスの品質を劣化させることなく、できるだけ多くの搬送周波数の同一値を再使用することが望ましい。
【００５３】
たとえば、セル１においてこの閾値に達したかどうかを決定できるように、決定された搬送周波数における擾乱に起因するフィールドＩのレベルを評価するために、実際には計算機３０を用いて、シミュレーションが実施される。
【００５４】
そのために、複数の無線基地局１１から１４に割り当てられる搬送周波数の限定された一定数の値を使用することができるセルラ無線電話ネットワークを計画するためには、本発明の方法によって、以下の段階によって拘束条件マトリクスを評価することができる。
【００５５】
拘束条件マトリクスの第１の構成エレメントは、サービスゾーン内にインパクトを与えたセルの各々について、計算システムによって計算された予測から作成される。この予測は、サービスゾーンの各メッシュｐ（図４Ａ）内で受信されたフィールドの値Ｃによって、あるセルについて記述される。それらのメッシュの各々においては、計算システムは、たとえばＣｅｌｌ−１といった「サーバ」セル、およびサービスゾーンの他の妨害セルの各々、たとえば図４ＡのＣｅｌｌ−２、Ｃｅｌｌ−３のための比Ｃ／Ｉの値を計算する（メッシュの中で受け取られるフィールドの値は、計算システム３０の「Ｆｒｅｑｕｅｎｃｅｓ．ｔｘｔ」ファイル内でユーザによって最初に記憶された設定値「ＣＨＡＭＰ＿ＭＩＮＩ＿ＢＲＯＵＩＬＬＥＵＲ」より大きい）。値Ｉは、サーバセル（たとえばＣｅｌｌ−ｉ）の妨害セル（Ｃｅｌｌ−ｊ）に対応する干渉フィールドを示す。
【００５６】
それらの値から、共同チャネルにおける他のセルによってサーバセルのスクランブリングの存在を推定することができる。この比はまた、各メッシュＰについて隣接するチャネルによって計算される。
【００５７】
こうして、サービスゾーン全体についての積分演算によって、妨害セルによるサーバセルの総合的妨害率ｔｂｉｊを決定することが可能になる。こうして、これらの値は拘束条件マトリクス内に転記することができる。
【００５８】
図２は、拘束条件マトリクスと呼ばれるネットワークのあらゆるセル１から４の間の相互擾乱または影響の値の四角形マトリクス５０ｉを示しているが、これは、搬送周波数の値の１つｆｉについてのものである。このようにして、マトリクス５０ｉは、総括的な方法で、計算システム３０によってオペレーティングされたネットワークの計画ソフトウェアまたは、この計算システムを使用する人的オペレータに対して、基地局１１から１４に周波数を割り当てる選択において使用するために、列ｉに対応する妨害セルＣｅｌｌ−ｉによって、行ｊに対応する妨害セル、Ｃｅｌｌ−ｊのマトリクスの各行−列交差部分における妨害率ｔｂｉｊを示すことができる。妨害率ｔｂｉｊのこの評価は、共通チャネルの第１のスクランブリングの評価と、隣接チャネルにおける第２のスクランブリングの評価といった、２つのマトリクスを評価することができる。共通チャネルのスクランブリングは、隣接セルにおける同一搬送波の再使用に起因する干渉である。隣接するチャネルにおけるスクランブリングは、隣接セルにおける隣接搬送波の使用に起因する干渉である。
【００５９】
本発明による方法は、場合によっては、スクランブリングの状況を考慮に入れることができる。一定の２つのセル間のある場所におけるスクランブリングの状況は、特に「地上」測定によって識別されたスウランブリングである。計算システムは、拘束条件マトリクス内の対応するエレメントに、計算システム内に記憶された「ＦＲＥＱＵＥＮＣＥＳ．ＴＸＴ」ファイルのフィールド「Ｔａｕｘ＿Ｅｘｃｅｐｔｉｏｎ」の値を付け加えることによって、妨害状況を計算に入れる。
【００６０】
このようにして、セル２、３、４によるセル１の擾乱レベルは、それぞれの値Ｋｉ、Ｌｉ、Ｍｉに達する。同様に、セル２は、それぞれのセル３および４によってレベルＸｉおよびＹｉで擾乱され、これらのセル３および４は、互いにレベルＺｉで擾乱される。図２Ａの周波数ｆｊのためのマトリクス５０ｊのような、同じタイプのマトリクスを搬送周波数のさまざまな値のために作成することができ、そのことから、無線干渉拘束条件Ｋｊ、Ｌｊ、Ｍｊ、Ｘｊ、Ｙｊ、Ｚｊ全体の概要を得ることができる。各マトリクス５０ｉまたは５０ｊは、実際に、計算機３０によって使用可能なデータブロックであり、ここに表されている図はあくまで例示的な目的を有する。
【００６１】
サービスゾーンの各メッシュＰにおいて、サーバセルＣｅｌｌ−ｉが体系的に「ベストサーバ」、すなわち最良の確率を有するサーバであったとすれば、先行する計算は直ちに簡単に行われたはずである。ただし、それらは、ネットワークの運転の現実を正しく知らせるものでないだろう。受け取ったフィールドの変化および通信を継続する移動端末の局所的な移動は、変動を引き起こし、結果的に、サーバセルの変更を引き起こす（ハンドオーバー）。与えられたメッシュについては、サーバセルは、規格ＧＳＭのハンドオーバー原則に従って、通常のサーバセルまたは、指定された６つの最良の隣接セルのいずれか１つとなることができる。現実的な理由から（計算時間と情報処理リソースが限定されている）、サービスゾーンのメッシュの各々について、計算システムは、第１のフィールドの値（Ｃ０）、第２の値（Ｃ１）、第３の値（Ｃ２）を有するセル、Ｃｅｌｌ＿０、Ｃｅｌｌ＿１、Ｃｅｌｌ＿２だけを可能性のあるサーバセルとして計算に入れる。
【００６２】
目的は、各々最良のサーバ（ベストサーバ）を構成することができる３つのセルを対象とする場合に、システムの現実をできるだけ正しく表す確率の計算を有することにある。この計算は、移動端末の電圧印加に対応する最初の状態である、図３Ｂに示された３つのセルのための状態図の使用に基づくものである。この計算を行うために、以下の表記法が使用される。
【００６３】
Ｐｒｏｂａ＿Ｃｉ（Ｐ）：対象区域のピクセルＰがセルＣｅｌｌ＿ｉに指定されるための確率である。
【００６４】
Ｐｒｏｂａ＿Ｃｉ＿ｉｎｉｔ（Ｐ）：対象区域のピクセルＰが、移動端末の始動時にセルＣｅｌｌ＿ｉに指定されるための確率（Ｐｒｏｂａ＿Ｃｉ（Ｐ））である。
【００６５】
ＨＯｍ：「ハンドオーバー」のヒステリシスのマージン。
【００６６】
３つのセル、Ｃｅｌｌ＿０、Ｃｅｌｌ＿１、Ｃｅｌｌ＿２（図３Ａ）を考えてみよう。これら３つのセルによってカバーされるゾーンのピクセルＰで測定されたフィールドは、Ｃｅｌｌ＿０から生じたＣ０（Ｐ）、Ｃｅｌｌ＿１から生じたＣ１（Ｐ）、Ｃｅｌｌ＿２から生じたＣ２（Ｐ）である。
【００６７】
Ｐに存在する移動端末は、平均の値Ｃ０のガウス統計、すなわち、通常のログで変化するＣ１およびＣ２とともに変化するフィールドをピックアップする。電圧印加時において、この移動端末がセルｉ（ｉ∈｛０、１、２｝）に指定されるための確率（「ｉｎｉｔでの」指定確率）は、フィールドＣｉ（Ｐ）が最も大きくなるための確率である。統計が、Ｐにおいて３つのフィールドについて同一であることから、この確率は、受信されたフィールドの平均値Ｃｉと、我々の場合には８ｄＢとみなされる伝播モデルの標準偏差のみに左右される。
【００６８】
計算システム３０は平均値を操作する。このようにして、各ピクセルＰにおいては、我々は、３つの最良のサーバについて、秩序だった３つの平均値Ｃ０、Ｃ１、Ｃ２を得ることができた。また、指定確率を計算するために、このシステムは、３つの平均値の間の偏差だけを介在させる。そのことから、我々は、常に、以下の標準偏差の３つの場合の１つに立ち戻ることができる。
【００６９】
・０
・ｃｈａｍｐ＿ｐｌｕｓ＿ｆｏｒｔ−ｃｈａｍｐ＿ｐｌｕｓ＿ｐｅｔｉｔ
・ｃｈａｍｐ＿ｉｎｔｅｒｍｅｄｉａｉｒｅ−ｃｈａｍｐ＿ｐｌｕｓ＿ｐｅｔｉｔ
たとえば、平均値間の秩序はＣ２≧Ｃ１≧Ｃ０であると仮定すると、システムは、各サーバセルＣｉについて、確率Ｐｒｏｂａ＿Ｃｉ＿ｉｎｉｔ（Ｃ２−Ｃ０、Ｃ１−Ｃ０）を計算するだろう。このようにして、
・Ｐｒｏｂａ＿Ｃ０＿ｉｎｉｔ（Ｃ２−Ｃ０、Ｃ１−Ｃ０）は、３つの中の最も小さな平均値のガウス数から出たフィールドが、最も大きかった回数を表す。
・Ｐｒｏｂａ＿Ｃ１＿ｉｎｉｔ（Ｃ２−Ｃ０、Ｃ１−Ｃ０）は、中間平均値のガウス数から出たフィールドが、最も大きかった回数を表す。
・Ｐｒｏｂａ＿Ｃ２＿ｉｎｉｔ（Ｃ２−Ｃ０、Ｃ１−Ｃ０）は、３つの中の最も大きな平均値のガウス数から出たフィールドが、最も大きかった回数を表す。
【００７０】
Ｐｒｏｂａ＿Ｃｉ＿ｉｎｉｔというタイトルの下に図３Ｃに示されている、得られた結果は、与えられた確率について、また５ｄＢに保たれたＣ１−Ｃ０の値について、０から３０ｄＢまでのＣ２−Ｃ０の変化に応じたセルの指定を示している。このようにして０．２未満の確率について、サーバセルは、Ｃ２−Ｃ０＞１２ｄＢの偏差までフィールドＣ０を発生するセルとなるだろう。０．４から０．６までの確率については、サーバセルは、７ｄＢの偏差までのフィールドＣ１を発生させるセルであり、その後、フィールドＣ２を発生させるセルとなる。
【００７１】
本発明の方法は、「ハンドオーバー」ＨＯｍのヒステリシスのマージンを計算しながら、サーバとしてセルの指定の確率を計算することができる。
【００７２】
先に計算された確率Ｐｒｏｂａ＿Ｃｉ＿ｉｎｉｔは、指定確率の計算のための「最初の」状態しか表していない。そこで、図３Ｂの状態図が使用される。ｐｉｊは、「ハンドオーバー」ＨＯｍのヒステリシスのマージンを考慮に入れることによって、他のセル、ｃｅｌｌ＿ｊに向かってセルｃｅｌｌ＿ｉが転移する確率である。
【００７３】
瞬間ｎにおける運転中の確率は、以下の等式による転移の確率と、瞬間ｎ−１の確率とによって左右される。
【００７４】
Ｐｒｏｂａ＿Ｃ０（ｎ）＝Ｐｒｏｂａ＿Ｃ０（ｎ−１）＊ｐ００＋Ｐｒｏｂａ＿Ｃ１＿（ｎ−１）＊ｐ１０＋Ｐｒｏｂａ＿Ｃ２（ｎ−１）＊ｐ２０
Ｐｒｏｂａ＿Ｃ１（ｎ）＝Ｐｒｏｂａ＿Ｃ１（ｎ−１）＊ｐ１１＋Ｐｒｏｂａ＿Ｃ０（ｎ−１）＊ｐ０１＋Ｐｒｏｂａ＿Ｃ２（ｎ−１）＊ｐ２１
Ｐｒｏｂａ＿Ｃ２（ｎ）＝Ｐｒｏｂａ＿Ｃ２（ｎ−１）＊ｐ２２＋Ｐｒｏｂａ＿Ｃ０（ｎ−１）＊ｐ０２＋Ｐｒｏｂａ＿Ｃ１（ｎ−１）＊ｐ１２
ここで、
ｐ０１＝ｐｒｏｂａ（Ｃ１＞Ｃ０＋ＨＯｍ＆＆Ｃ１＞Ｃ２）
ｐ０２＝ｐｒｏｂａ（Ｃ２＞Ｃ０＋ＨＯｍ＆＆Ｃ２＞Ｃ１）
ｐ００＝ｐｒｏｂａ（Ｃ０＞Ｃ１＋ＨＯｍ＆＆Ｃ０＞Ｃ２−ＨＯｍ）＝１−ｐ０１−ｐ０２
ｐ１０＝ｐｒｏｂａ（Ｃ０＞Ｃ１＋ＨＯｍ＆＆Ｃ０＞Ｃ２）
ｐ１２＝ｐｒｏｂａ（Ｃ２＞Ｃ１＋ＨＯｍ＆＆Ｃ２＞Ｃ０）
ｐ１１＝ｐｒｏｂａ（Ｃ１＞Ｃ０−ＨＯｍ＆＆Ｃ１＞Ｃ２−ＨＯｍ）＝１−ｐ１０−ｐ１２
ｐ２０＝ｐｒｏｂａ（Ｃ０＞Ｃ２＋ＨＯｍ＆＆Ｃ０＞Ｃ１）
ｐ２１＝ｐｒｏｂａ（Ｃ１＞Ｃ２＋ＨＯｍ＆＆Ｃ１＞Ｃ０）
ｐ２２＝ｐｒｏｂａ（Ｃ２＞Ｃ０−ＨＯｍ＆＆Ｃ２＞Ｃ１−ＨＯｍ）＝１−ｐ２１−ｐ２０
指定確率は、Ｐｒｏｂａ＿Ｃｉ（ｎ）≒Ｐｒｏｂａ＿Ｃｉ（ｎ−１）である場合、すなわち、それらが、数回の反復後に漸近線に向かって収束する場合に得られる。指定確率は、Ｃ１−Ｃ０＝５ｄＢについては、図３Ｃに示されている。
【００７５】
確率の和は実際に時間全体に等しくなる点が注目できる。
【００７６】
一方、同一の平均値について、同じ確率を有することができた。さらに、予想されたとおり、通常のサーバを優先するヒステリシスの効果について特筆する（「ｉｎｉｔ」における確率に対する）。
【００７７】
先に計算された指定確率は、サーバセル（「ハンドオーバー」）ＨＯｍのフリップフラップのヒステリシスのマージンのパラメータの値によって異なる。計算システムにおいてパラメータをつくるこの可能性を保つことが重要である。その方法としてはたとえば以下が考えられる。
【００７８】
１−入力においては、計算システムは、初期化「ｉｎｉｔ」における確率を使用することができる。システムによって当初に計算された確率が問題となる。確率は、「ハンドオーバー」ＨＯｍのヒステリシスのマージンには左右されず、単にフィールドの平均値にだけ左右される。３つの最良のサーバの３つの確率を結びつける関係式によって、唯１つの値から、２つの他の値を決定することができる。マトリクスＰｒｏｂａ＿ｉｎｉｔ［３６］［３６］が示され、Ｃ、Ｃ１、Ｃ２間の３６ｄＢの最大偏差に限定されることから、それを超えると、確率はゼロに近くなる。
【００７９】
２−Ｐｒｏｂａ＿ｉｎｉｔ［３６］［３６］およびＨＯｍから、指定確率は、ＣＯＮＴＲＡＩＮＴＥＳモジュールの当初に計算され、保存される。
【００８０】
３−次に、各ピクセルについては、３つの最良サーバに応じて対応する確率を回収する。
【００８１】
各メッシュにおいて、計算システムは、これらの潜在サーバセルの各々に、以下の３つの成分を有する加重係数を適用する。
−指定確率
−サービス確率
−地上加重
【００８２】
指定確率は通信時間にわたって、３つの可能性のあるサーバセルの各々に、割り当てられた時間の可能性の高い分配を通報する。この確率は、可能性のあるサーバセル間の予想されたフィールドの違いに基づいて計算され、５ｄＢに等しいフリップフラップマージンＨＯ＿ＭＡＲＧＩＮの平均値を考慮する。確率の値は、「Ｐｒｏｂａ＿ａｓｓｉｇ．ｔｘｔ」ファイル内で得られる。図４Ａのグラフは、Ｃ０とＣ２との間のフィールドの値の偏差に応じた指定確率の値の推移を示している（Ｃ１＝Ｃ２の場合）。
【００８３】
サービスの確率は、サービスを実際に保証することができるセルの容量を計算に入れるものである（メッシュ内でこのセルが受け取ったフィールドの値に応じて）。サービスの確率は、予想されたフィールドの値と「Ｆｒｅｑｕｅｎｃｅｓ．ｔｘｔ」ファイルによって与えられた（変更可能な）値「ＣＨＡＭＰ＿ＭＩＮＩ」との間の偏差から推定される。ＣＨＡＭＰ＿ＭＩＮＩは、５０％のサービスの確率に対応するフィールドの値である。この係数は、フィールドのレベルに応じた妨害率を強める効果を有する（フィールドが強くなればなるほど、妨害も強くなる）。
【００８４】
図４Ｂに表されているグラフは、偏差Ｃ−ＣＨＡＭＰ＿ＭＩＮＩの値についてこの曲線の推移を示している。−１２ｄＢ未満の偏差の値については、確率は０であることを強いられる点に留意されたい。
【００８５】
最後に、地上の係数（または形態学係数）は、土地の形態学に沿った「ハンドオーバー」の自然の流れを知らせることができる。通常のサーバセルと同じ地上を有するセルは優遇される。この係数は、メッシュが属する伝搬幹線のタイプと地上の等級を介在させるマトリクスの形で表される。このマトリクスは、図４Ｃに示されている。
【００８６】
これらの３つの係数は、これら３つの最良のサーバセルの各々に重みを割り当てるための各メッシュのレベルで組み合わされ、それらの間の各々がサーバセルであることの確率を知らせる。
【００８７】
スクランブリングの状況と近隣区域は、対象区域から得られた結果にそれらの影響（共同チャネルと隣接チャネルにおけるスクランブリング）を付け加えることで計算に入れられる。この影響は、「Ｆｒｅｑｕｅｎｃｅｓ．ｔｘｔ」ファイルによって示される率の形で与えられる。
【００８８】
これらの値は以下のとおりである。
−妨害のためのＴＡＵＸ＿ＥＸＣＥＰＴＩＯＮ
−隣接するチャネルにおける近隣区域のためのＴＡＵＸ＿ＡＤＪ＿ＶＯＩＳ＿ＲＥＥＬおよび共同チャネルにおける近隣区域のためのＴＡＵＸ＿ＣＯＣ＿ＶＯＩＳ＿ＲＥＥＬ
【００８９】
一定のゾーン（たとえば、森林のようなサービスゾーン内部または外部）内で、ネットワークの現実に応じて、この第１の評価を補足し、それを修正するために、計算システム３０は、拘束条件マトリクスの中に以下の情報を組み入れることができる。
−妨害状況：土地の現実についての情報を与え、対象区域の計算によって予想されていない、または過小評価されているスクランブリングを解消することができる。
−近隣区域：リカバリーゾーンを強制的に巻き込む。これらの隣接セルは、計算システムを決定するセルであるが、ユーザによって宣言されたネットワーク内で宣言された隣接セルである。
【００９０】
中立ゾーン：妨害を無駄に計算に入れないですむゾーン。
【００９１】
拘束条件マトリクスを準備し、計算し、さらに検証することができる計算システム３０の機能が、このファイルの対象である。
１）スクランブリングの状況を計算に入れる機能。
２）隣接セルを計算に入れる機能。
３）中立ゾーンを計算に入れる機能。
４）拘束条件マトリクスの計算。
【００９２】
スクランブリングの状況を計算に入れることは、ネットワークにおいて測定された妨害状況を加えることによって理論上の計算を加重することができるようになることを目的とする（土地、統計的数字・・・）。
【００９３】
ここでは、理論上の計算の前であっても、現場で確認されたスクランブリングによって計算システムに情報を与えることが問題となる。そのことから、非互換性がすでに知られているセルにチャネルを再び割り当てることを防ぐことができる。計算システム３０は、対象区域の予測からスクランブリングを決定する。この予測には、土地のデータベースの不正確さと計算方法に関連する誤りがある可能性がある。
【００９４】
したがって、特定のスクランブリングは、計算システム３０によっては検知されない。
【００９５】
「土地」の測定値と無線エンジニアの経験から、それらの予測誤差を補正することができる。妨害状況と呼ばれる対応情報は、スクランブリング拘束条件をその計算の中で考慮に入れることができるように、ツールに提供されなければならない。
【００９６】
２つのタイプの妨害が存在する。
−共同チャネルへの妨害
−隣接チャネルへの妨害
【００９７】
ツールは、同一のファイルにおいて（拡張子．ＣＢＲ）、これら２つのタイプの妨害を宣言することができる。この宣言は、計算システムのインターフェイスのレベルで行われる。
【００９８】
このファイルは、拘束条件マトリクスを計算する前の妨害の状況や連続する周波数プランの付加または削除によって改訂されなければならない。
【００９９】
「テーマごとのマトリクス」によるビジュアル化は、サービスゾーンのセルの各々について行われなければならない。それはまた、たとえば妨害セルと、共同チャネルまたは隣接する干渉のために妨害されたセルとの間の拘束条件をビジュアル化することができる。
【０１００】
このビジュアル化は、拘束条件を検証する優れた手段である。たとえば、２つのセルを向かい合わせることもできるし、計算された拘束条件を持たないようにすることもできるのに対して、「土地」の実験または測定は、その反対を示す。その場合には、既存のリストにそれを付加することによってその新しい拘束条件を宣言しなければならないだろう。
【０１０１】
一定の２つのセル間のある場所での妨害の状況は、特に「土地の」測定によって識別された妨害である。
【０１０２】
計算システム３０は、「ＦＲＥＱＵＥＮＣＥＳ．ＴＸＴ」ファイルの「Ｔａｕｘ＿Ｅｘｃｅｐｔｉｏｎ」フィールドの値を、拘束条件マトリクスにおいて対応するエレメントに付加することによって妨害状況を計算に入れる。
【０１０３】
そのためには、計算システムのユーザは、「周波数」メニュー内で、「計画」コマンドをクリックする、さらに「妨害状況」サブコマンドをクリックすることを可能にするソフトウェアインターフェイスを使用する。ダイアログボックス「妨害状況」ダイアログボックスは、「周波数／計画／妨害状況」リストを表示する画面に現れる。ユーザは、インタラクティブポインティング手段を用いて、「リスト」ボタンをクリックする。「状況」ダイアログボックスが画面に現れる。
【０１０４】
状況ファイルがすでに存在する場合には、「有効化」ボタンを選択してクリックするだけでよい。そうでない場合には、「あなたの選択」の中にファイル名を打ち込み、「入力」キーを押さなければならない。
【０１０５】
後者の場合には、計算システム３０が、質問「作成？」によってこのファイルの作成の確認を要求する。
【０１０６】
「妨害状況」ダイアログボックスに戻ると（すなわち、既存のファイルを「有効化」した後に、または新しいファイルを「作成」した後に）、ユーザは「付け加える」ボタンをクリックする。ダイアログボックス「１つの状況を付け加える」が画面に現れる。「サイトＮｏ．」フィールド（「パブリック有用」ゾーンにおいて、ユーザは、そのセルが妨害され、「入力」キーによって有効になるサイトの番号を打ち込む。サイトのセルのリスト（さらにサイトの名称）が表示される。ユーザは、このリストの中で、さらに、フィールド「サイトＮｏ．」（「パブリックスクランブラ」ゾーン）の中から、妨害されたセルを選別し、セルが妨害であり「入力」キーによって有効になるサイトの番号を打ち込む。サイトのセルのリスト（さらにサイトの名称）が表示される。
【０１０７】
ユーザは、このリストの中から、妨害セルを、さらに、「共同チャネル」もしくは「隣接チャネル」の「妨害の種類」を選別する。ユーザは、「責任者の名前」および「有効化済み」を確認したら、ダイアログボックス「妨害の状況」内に戻り、必要な回数だけこのオペレーションを繰り返す（再び「付け加える」ボタンをクリックしながら）。
【０１０８】
計算システム３０はまた、隣接するセル、あるいはまた近隣区域を計算に入れることができる。「ハンドオーバー」を可能にするために、２つのセルが隣接していることを宣言される。それらのセルは、必然的に、それらの対象区域のリカバリーを有する。これらを計算に入れる目的は、隣接区域のデータを付加することによって理論上の計算を加重することができるようになることにある（隣接セルのファイルが「ＨＯロス」の減少を可能にする）。
【０１０９】
ここでは、宣言された隣接セルについてツールに情報を与えることが問題となる（ネットワークという意味においてであって、地理的意味においては強制ではない）。隣接セルの互いのこうした宣言によって、これらの共同チャネルまたは隣接する周波数の割当が同じセル上になるのを防ぐことができる。このようにして、これらセルの対象区域のリカバリゾーンにおける妨害のリスクを防ぐことができる。
【０１１０】
問題は、当然ことながら、周波数プランの結果の品質を改善するために、数多くの「ＨＯロス」（失われたハンドオーバー、もしくは切断されたコールを計数化するインジケータ）の原因であるこのタイプの干渉をできるだけ制限することにある。
【０１１１】
隣接セルの宣言のために、計算システム３０は、以下の３つの別々の方法を提案する。
１．個人的ファイルの作成
２．データの導入
３．計算システム３０の「隣接区域」メニューによる計算
【０１１２】
計算システムはまた、中立ゾーンを計算に入れる。目的は、場合によってはトラフィックゾーンを不利な状態にしないために加入者のいないゾーンを識別することができるようにすることである。
【０１１３】
周波数の計算結果をさらに改善することを容易にするために、セルが、流れているトラフィック内に入り込まない、またはほとんど入り込まない中立ゾーンを規定することが有益である。実際に、トラフィックの多いゾーンを優先させ、その結果周波数を解放することができるように、場合によっては干渉を受け入れることによって、加入者のいないこれらのゾーンを無視することが望ましい。
【０１１４】
これらの中立ゾーンは、たとえば、街を見下ろす山を無駄に保護することによって周波数プランの計算を「汚染させる」ことがないようにすることができる。
【０１１５】
中立ゾーンの他の例として以下を挙げることができる。
−湖（ベール潟）
−海
−山岳地帯
−森林
−トラフィックなしのゾーン
−外国
−・・・
【０１１６】
他の例は国境の例である。実際に、対象となる領土の外では、万一の干渉について懸念するのは無駄である。したがって、中立ゾーンは必ずしもサービスゾーン内に含まれない。
【０１１７】
以上のモデル化はまた、無線伝送の偶発事を計算に入れることができる。
【０１１８】
そのような場合には、隣接する基地局１２から１４の送信の受信レベルを割り当てる無線伝播条件、たとえば気象条件の変動の統計表を使用することによって、計算機３０が、相対的レベルの逆転が選別された信号の２つのレベル間に生じ、分類の序列を変更することができるように、対応する確率を決定し、さらに、受信された信号が、一定の時間にわたって最も高いレベルを有することができるように、それぞれの確率に応じ、受信された信号の加重によって計算機３０内で構成が行われる。
【０１１９】
当業者にとっては、本発明は、請求項にあるような本発明の適用範囲を逸脱しない限り、数多くの他の特定の形態での実施形態も可能であることが明らかにならなければならない。したがって、本実施形態は、例示的なものとみなされなければならないが、添付の特許請求の範囲によって規定された領域内で変更することができ、本発明は上述の詳細に限定されるものではない。
【図面の簡単な説明】
【図１】作成中のセルラ無線電話ネットワークの一部を概略的に示す図である。
【図２Ａ】本発明の方法実施から得られた、データベースとして役立つ、セル間の擾乱係数のマトリクスを示す図である。
【図２Ｂ】本発明の方法実施から得られた、データベースとして役立つ、セル間の擾乱係数のマトリクスを示す図である。
【図３Ａ】拘束条件マトリクスの決定にデータベースとして役立つ、セル間の擾乱確率の作成のために、３つのセルの互いの影響を示す図である。
【図３Ｂ】３つのセル間の指定確率を計算するための状態図である。
【図３Ｃ】３つのサーバセル間の指定確率を表す図である。
【図４Ａ】Ｃ０からＣ２の間のフィールドの値の偏差に応じた指定確率の値の推移に関するグラフである（Ｃ１＝Ｃ２の場合）。
【図４Ｂ】与えられた偏差の値のためのサービスの確率の推移を示す図である。
【図４Ｃ】伝搬幹線のタイプと地上等級を表すマトリクスを示す図である。
【符号の説明】
１、２、３、４  セル
１１、１２、１３、１４  基地局
ｆｉ、ｆｊ  周波数
２１  移動端末
３０  計算機
３１  カード
３２  デジタルカード
４１、４２、４３、４４  矢印
【図１】
0003895231.tif 000002
【図２Ａ】
0003895231.tif 000003
【図２Ｂ】
0003895231.tif 000004
【図３Ａ】
0003895231.tif 000005
【図３Ｂ】
0003895231.tif 000006
【図３Ｃ】
0003895231.tif 000007
【図４Ａ】
0003895231.tif 000008
【図４Ｂ】
0003895231.tif 000009
【図４Ｃ】
0003895231.tif 000010